(57)【要約】【課題】レーザのパワーを制御する場合に、レーザパワーを安定化させるための動作時間を短くすることができるレーザパワー制御装置を提供する。【解決手段】出力手段１０６により選択している出力設定手段１０７、１０８に保存されている出力電流値の情報に基づいてレーザへ電流を出力している最中に、出力手段１０６により選択している出力設定手段以外の出力設定手段に出力電流値を設定するので、出力電流値に基づくレーザ出力の更新が必要になった場合にでも、即座にレーザへの出力電流値を更新できレーザパワー安定化の為の時間を短縮することができる。【選択図】図１
2007200500.tif 000002
【特許請求の範囲】
【請求項１】
所望の電流設定値を決定し、レーザへ前記電流設定値に基づいて電流を出力するレーザパワー制御装置であって、
レーザへの出力電流値を決定する制御手段と、
前記制御手段によって決定する出力電流値の情報を保存する複数の出力設定手段と、
前記複数の出力設定手段の内の１つの出力設定手段に保存されている出力電流値の情報に基づいてレーザへ電流を出力する出力手段とを備え、
前記制御手段は、前記出力手段により選択している前記出力設定手段に保存されている出力電流値の情報に基づいてレーザへ電流を出力している最中に、前記出力手段により選択している前記出力設定手段以外の前記出力設定手段に出力電流値を設定することを特徴とするレーザパワー制御装置。
【請求項２】
前記出力設定手段を光ディスクのアドレス単位毎に切換ることを特徴とする請求項１記載のレーザパワー制御装置。
【請求項３】
異なる記録パワーを必要とする記録部分を２つ以上有する光ディスクメディアへのレーザパワーを制御することを特徴とする請求項１記載のレーザパワー制御装置。
【請求項４】
所望の電流設定値を決定し、レーザへ前記電流設定値に基づいて電流を出力するレーザパワー制御方法であって、レーザへ電流を出力中にレーザへの出力電流値を決定する制御方法により別の電流値を計算し、出力中の電流値から計算後の電流値へ切り換えることを特徴とする、レーザパワー制御方法。
【発明の詳細な説明】
【技術分野】
【０００１】
本発明は光ディスクドライブシステムにおけるレーザパワー制御に関するものである。
【背景技術】
【０００２】
光ディスクドライブシステムは、光ディスクへ情報を記録し、また光ディスクに記録された情報の再生を行うシステムである。光ディスクへの記録及び再生はレーザダイオード（LD)を介して出力されるレーザ光の照射によって光ディスク膜へ相変化を生じさせてレーザ光の反射光量の差を生み出す事によって行い、再生時には光ディスク上の相変化の反射光量の差を読み取る事により行う。
【０００３】
光ディスクへの記録及び再生は光ディスク媒体に応じた適正なレーザ出力パワーが必要となる。光ディスクへの記録中のパワーを制御する場合、従来のパワー制御方式では、データ記録領域の直前を調整領域とし、調整領域にて所望のレーザ波形形状を出力する事で出力パワー特性を計測し、得られたレーザの出力パワー特性から、前記調整領域直後のデータ領域にてデータを記録する為の出力パワーの調整を行っていた。
【０００４】
図２は光ディスクシステムにおけるパワー制御装置の構成図である。
【０００５】
信号検出手段２０２はレーザのパワーを感知する為のフォトディテクタ、フォトディテクタで検出された光量を増幅するアンプ、検出したパワー値をデジタルデータに変換するＡＤ変換器等で構成される。
【０００６】
制御手段２０３は信号検出手段２０２から出力されるパワー量のデータを受け取り、最適パワーの演算、出力手段２０６への波形制御等を行うデジタル処理装置で構成される。
【０００７】
出力手段２０６は制御手段から受け取った設定値をレジスタやＲＡＭ等の設定保持手段やデータを電流値に変換するＤＡ変換器、増幅器等で構成され、制御手段の信号に応じてレーザ２０５へ電流を出力する。
【０００８】
従来の方法では、制御手段２０３により電流値を決定し、出力手段２０６内にある設定手段a２０７に保存し、出力手段２０６では設定手段a２０７の出力設定値の基づき電流を出力する。出力手段２０６により出力された電流はレーザ２０５へ流れる。レーザ２０５では電流がレーザ出力に変換され光ディスク２０４に照射される。光ディスクへ照射したレーザパワーを信号検出手段２０２にて検出し、検出値を制御手段２０３へ伝える。制御手段２０３では得られたレーザパワーの検出値から再度適切な電流値を決定し、設定手段a２０７へと再び適正な電流値を設定する。
【０００９】
図３は、光ディスク媒体上のパワー制御用フォーマットと、レーザパワー制御の為の電流値の設定タイミングを示した図である。
【００１０】
図３にある様に光ディスク上には調整領域３０２とデータ領域３０３が有り、ディスク膜にデータを記録する為には、データ領域３０３において適切なレーザ出力パワーが必要となる。その為、レーザのパワー制御を行う際には、調整領域３０２でレーザの特性データを得る為の所望のレーザ波形形状を出力し、レーザの特性を計測した結果から最適な電流値を計算し、構成領域３０２の直後にあるデータ領域３０３で発光する為の出力手段に最適値を設定し、データ領域３０３にてレーザの発光を開始する。次にデータ領域通過後には再び調整領域の位置に来る為再び調整発光を行い、設定・発光の前記手順を繰り返す。
【００１１】
図４は、図３におけるレーザパワー制御処理手順を表したフロー図である。
【００１２】
調整用発光・計測ステップ４０１はレーザの特性を計測する為の発光であり、情報を記録する為の発光とは異なっても良い。この手順によりレーザの出力パワーとレーザへの出力電流値の関係を求める事が可能となる。
【００１３】
最適電流値の演算ステップ４０２は、調整用発光・計測ステップ４０１にて行ったレーザの発光からレーザ出力パワーと設定電流値の関係を導き出し、求めるレーザのパワーを出力する為に必要な電流値を計算する。ここで演算された電流値が求めるレーザパワーを出力する為の設定電流値として設定手段に保存される。
【００１４】
演算結果の電流値の設定ステップ４０３は、最適電流値の演算ステップ４０２で求まった電流値を設定手段へ設定する。設定手段とは図２にある設定手段a２０７となる。ここで設定された電流値に従って図２の出力手段２０６から電流がレーザ２０５に出力される。
【００１５】
データ記録発光ステップ４０４は、先程の調整用発光・計測ステップ４０１とは違いユーザが光ディスクへ保存しようとするユーザデータを記録する為の発光である。ここでレーザの発光はレーザパワー若しくはレーザの発光パターンが調整用発光・計測ステップ４０１とは異なる場合が多い。
【特許文献１】特開昭61-32232号公報
【発明の開示】
【発明が解決しようとする課題】
【００１６】
従来の技術では、図４に示してある調整用発光・計測４０１、最適電流値の演算４０２及び演算結果の電流値の設定４０３を一連で行ってからデータ領域への発光を行っていた。その為、調整用発光から電流値の演算までの処理がデータ領域へレーザのスポットが到達するまでに行う必要がある。そうしなければデータ領域でのレーザパワーが不適切なものとなり記録がうまく行えなかったり、若しくはレーザの発光パワーを安定にする為に一旦記録動作を停止させて最適電流値の設定の処理を終えてから再び記録を開始するという動作が必要であった。これは記録品質の低下や記録動作時間の延長を招き、デメリットとなる。しかし、従来の方法では、光ディスクが高倍速で回転する場合や調整領域のフォーマット部分が短い場合において、調整発光後からデータ記録発光を行うまでに電流値の演算、設定、切換の処理を行う時間が足りなくなる為にデータ部への記録発光を行うまでに最適な電流値が設定されず、データ記録を適切に行う事が出来なくなる問題がある。
【００１７】
以下、図を用いて課題を説明する。
【００１８】
図５は従来の方法にてレーザのパワー制御を行った際に問題となる場合を示した図である。光ディスクでは光ディスク上をレーザのスポットが通過し、光ディスク上に記録された反射光量の違いの連続を信号データとして読み取ったり、また逆にレーザの光量や波形を変える事でデータを記録したりする事が出来る。
【００１９】
図５では、横軸を時間軸にとり、ディスクが低速で回転する時と高速で回転する時とで、ディスク上の調整領域やデータ領域をレーザのスポットが通過する時間が変化する様子を示している。図５中では、ディスクフォーマット５０１と、ディスクフォーマット５０４は同じディスクであるが、ディスクが回転する速度の違いにより時間軸で見ると調整領域が異なる状況を示している。ディスクフォーマット５０４では調整領域がディスクフォーマット５０１に比べて短くなっているが、これは時間にすると短くなって見えるという事を示した図である。
【００２０】
ディスクフォーマット５０１の状態では、ディスクの回転する速度が遅い事から、調整領域５０２をレーザスポットが通過する時間が相対的に長くなり、調整用発光・測定５１１、最適電流値の演算５１２、演算結果の電流値設定５１３の手順をレーザスポットが調整領域５０２を通過し終わるまでに行う事が出来、最適電流値を調整し終わった状態でデータ領域５０３の先頭から記録用発光５１４を行う事が出来る。図５のディスクフォーマット５０１では演算結果の電流値設定５１３の処理中に出力設定を設定bへと変更して次のデータ領域で発光するための準備が整っている状態である。
【００２１】
しかし、ディスクフォーマット５０４の様に光ディスクが高速回転する場合にはディスクの回転する速度が増す為、ディスク上の調整領域５０５の区間が相対的に短くなる。その為、調整領域内で調整用発光・測定５１１、最適電流値の演算５１２、演算結果の電流値設定５１３の手順を完了する事が出来ずに調整領域を通過する場合が生じる。これではデータ領域５０６の先頭部分にレーザのスポットが差し掛かった場合には、まだ最適な電流値が設定されていない状態が生じる。このままデータ領域で記録発光を行うとデータが記録されない状態、又は不適切なパワーで記録してしまう状態が発生する。その結果、適切な信号が記録されないエラー状態となる事から信号品質の劣化を招く。
【００２２】
また、不適切なレーザのパワーで記録する事を防ぐ為に、調整領域を通過後は直ぐにデータ領域を記録する処理を行わず、最適な電流値が設定される十分な時間を待ってから再びデータ領域を記録する処理に入るという手順がある。しかし、この方法によると、最適な電流値を設定する時間に加えて、光ディスクではディスクが回転し続けている為に、例えば一旦データ領域を通過すると、再びデータ領域にレーザのスポットが戻ってくる為の時間が必要になる。これは結果として記録時間が長くなるという問題が生じる。
【００２３】
したがって本発明は、光ディスクが高倍速で回転する場合でもレーザへの最適電流値を設定するレーザパワー制御装置及びレーザパワー制御方法を提供することを目的とする。
【課題を解決するための手段】
【００２４】
前記課題を解決する為に、本発明のレーザパワー制御装置は、所望の電流設定値を決定し、レーザへ前記電流設定値に基づいて電流を出力するレーザパワー制御装置であって、レーザへの出力電流値を決定する制御手段と、前記制御手段によって決定する出力電流値の情報を保存する複数の出力設定手段と、前記複数の出力設定手段の内の１つの出力設定手段に保存されている出力電流値の情報に基づいてレーザへ電流を出力する出力手段とを備え、前記制御手段は、前記出力手段により選択している前記出力設定手段に保存されている出力電流値の情報に基づいてレーザへ電流を出力している最中に、前記出力手段により選択している前記出力設定手段以外の前記出力設定手段に出力電流値を設定することを特徴とする。
【００２５】
また、前記出力設定手段を光ディスクのセクタ毎に切換えてもよい。さらに、異なる記録パワーを必要とする記録部分を２つ以上有する光ディスクメディアへのレーザパワーを制御してもよい。
【００２６】
前記課題を解決する為に、本発明のレーザパワー制御方法は、所望の電流設定値を決定し、レーザへ前記電流設定値に基づいて電流を出力するレーザパワー制御方法であって、レーザへ電流を出力中にレーザへの出力電流値を決定する制御方法により別の電流値を計算し、出力中の電流値から計算後の電流値へ切り換えることを特徴とする。
【発明の効果】
【００２７】
本発明のレーザパワー制御装置は、出力手段により選択している出力設定手段に保存されている出力電流値の情報に基づいてレーザへ電流を出力している最中に、出力手段により選択している出力設定手段以外の出力設定手段に出力電流値を設定するので、出力電流値に基づくレーザ出力の更新が必要になった場合にでも、即座にレーザへの出力電流値を更新でき、高倍速回転時においても、記録動作を途切れさせること無く光ディスクへ記録を行うことができる為、従来の方法に比べて、記録時間の短縮、信号品質の向上が可能となる。
【発明を実施するための最良の形態】
【００２８】
以下、本発明の実施の形態を、図面を参照しながら説明する。
（実施の形態１）
図１は本発明における光ディスクシステムの構成図である。図１は図２における設定手段a２０７に対応した出力設定手段a１０７に加え同等の機能を保持した出力設定手段b１０８が出力手段１０６に追加されている。本発明では出力設定手段b１０８へ出力設定手段a１０７とは異なる設定値を保存する事が可能となっている。本実施の形態では、出力設定手段が2つの場合を示すが、３以上の複数でもよい。
【００２９】
図６は、本発明におけるレーザへの出力電流を制御する手順をフロー図で示した図である。図６では従来方法である図４と比較して、レーザへ出力する電流設定手段の切換と電流設定先の電流設定手段の切換ステップ１の手順が加わっている。レーザへ出力する電流設定手段の切換と電流設定先の電流設定手段の切換ステップ１は、複数保有する電流設定手段１０７、１０８に保存してある電流設定値の中から実際のレーザへの出力に用いる電流設定値を選択し、かつ新しく設定する電流設定値を保存する先として用いる電流設定手段を選択する。
【００３０】
図７は、本発明におけるレーザへの出力電流を制御する手順と本発明に関係するディスクフォーマット部分との関係を光ディスク上をレーザ出力スポットが通過する時間軸に沿って示した図である。
【００３１】
以下、図６と図７を参照しながら本発明の処理手順を説明する。
【００３２】
図７に示す様に光ディスクのディスク上にはディスクフォーマット７０１における調整領域とデータ領域が存在する。但し、ディスクは調整領域とデータ領域の２つだけとは限らない。例えば別の記録領域や読出し領域等が存在していても良いし、DVD-R等ではECC(Error Check and Correct)単位毎に調整領域を設ける事も出来る。
【００３３】
また、アドレス単位毎に調整領域を設けても良い。この場合、ドライブシステムでアクセス可能な最小単位である１アドレスの領域毎に調整を行う事が出来るので、例えばディスクの厚さがばらついている、ディスクの表面が傷ついている等の、品質が悪い光ディスクに対して細かなレーザパワーの調整が可能となる事から、より記録の品質を向上させる事が出来る。
【００３４】
調整領域７０２、７０４、７０６はレーザのパワーを最適な値に保つ為に使用する領域であり、レーザ光のスポットがこの領域に差し掛かった場合に様々なパターンの発光形状を照射しその時の出力パワー値や出力電流値等をモニタしレーザの出力パワー値を調整する為に用いる。例えば、数種類のパワー値を発光させ、同時に出力電流値をモニタする事でレーザへの電流値とレーザのパワー値との関係を知る事が出来る。
【００３５】
データ領域７０３、７０５はユーザが保存しようとする情報を記録する為のデータ領域であり、レーザのパルス発光を行う場所と行わない場所を使い分ける事により読み取り可能なデータを記録する事が出来る。
【００３６】
また、本発明におけるレーザへの出力電流を制御する手順も同時に図７に示す。
【００３７】
出力設定７０７は、レーザへ出力する電流値の設定である。この出力設定によってレーザへ出力する電流の設定値としてどちらの出力手段の設定値が用いられているかを示している。図７中では調整領域とデータ領域を１つの単位として単位毎にレーザへの出力設定を行っている状態を示してある。
【００３８】
また、図７においてはレーザへの出力電流を制御する処理手順も同時に記載している。
【００３９】
設定動作７１１に示してある番号（１）〜（５）は図６の処理手順毎に振られた番号（１）〜（５）（ステップ１〜５）に対応する。
【００４０】
また、出力中の設定７１２と更新中の設定７１３は本発明において出力設定手段が２つの場合に出力設定手段の使用方法を示した図である。出力中の設定７１２はレーザへ出力している電流値を保存している出力設定手段の選択状態を表し、更新中の設定７１３は設定値を更新中もしくは更新を待っている出力設定手段の選択状態を表している。
【００４１】
以下に本発明における電流設定の手順を説明する。
【００４２】
本発明においては、調整領域へレーザスポット光が移動する際にまず出力設定を切り換える。光ディスクの再生状態、若しくは記録状態等、光ディスクへレーザ光を出力している状態においてレーザスポット光が調整領域に到達した場合に、それまでレーザへ出力していた電流値を変更する為に出力設定手段を切り替える。例えば、レーザスポット光の位置が図７において調整領域７０４に差し掛かった場合を考えると、それまでレーザへの出力に選択していた出力設定手段Ａから電流値を準備しておいた出力設定手段Ｂに設定を切換る。出力設定手段としては半導体メモリ等が考えられる。この手順はステップ１：手段（１）に相当する。
【００４３】
次に、調整領域にてレーザパワーを調整する為の発光を行う。調整領域においては調整用の発光を行いその時のレーザへの出力電流値とレーザの出力パワーを計測する。レーザ光を受光する手段としてはフォトディテクタ等が考えられるがそれに限らない。この時、レーザへの出力電流値はレーザへ流れる電流を直列抵抗間の電圧測定で求めたり、若しくは直接測るのではなく出力設定手段に保存している出力電流設定値を用いる手段等も考えられる。この手順はステップ２：（２）に相当する。この測定によってレーザを流れる電流とその時の出力パワーの関係を求める事が出来、出力パワーの制御を行う事が出来る。
【００４４】
そして、データ記録部にレーザのスポット光が差し掛かった場合にはデータを記録する発光を行う。レーザの電流設定値としては直前の調整発光領域と同じであり同じ出力設定手段の値を用いる。但し必ずしも出力設定手段が直前の調整発光領域と同じである必要は無く、例えば出力設定手段が3つ以上の複数存在する場合には調整領域専用の出力設定手段等を用いても良い。この場合必ずしも直前の調整領域で用いた出力設定手段である必要はない。例えば、直前のデータ領域で用いた出力設定手段を用いる等も考えられる。この手順はステップ３：（３）に相当する。
【００４５】
この調整領域にて調整発光を行った後から、データ記録部へレーザを照射している間にかけて、本発明では最適電流値の計算を行う。最適電流値を求める方法としては調整領域で行ったレーザの発光の出力電流値と発光パワー値との関係から必要なパワーになる電流値を求める方法がある。例えば、調整発光時に２種類の異なるパワーのレーザの出力を行い、その時のレーザへの電流値とレーザ出力パワー値からレーザ出力の電流に対する出力パワーの関係を求め、求めるパワーとなる電流値を推定する事が出来る。例えば、2点間の関係を線形であるとみなし、電流値とパワー値の関係から2値の1次関数によってモデル化する事により任意のパワーに要する電流設定値を求める事が出来る。この方法は1次関数に限らず、2次や3次関数でも可能である。また最適電流を求める手段は前記に限らない。例えば光ディスクドライブを動作させる前や光ディスクに記録を行う前等の事前にレーザの特性を調べ、レーザを発光させる時間と電流量に応じてレーザの出力パワーがどれ位低くなるかといったレーザの劣化に対する設定電流と出力パワーの関係を求めておけば、調整発光での発光の時間や電流値から劣化の度合いを見積もり必要な設定電流値を求める事も出来る。この手順はステップ４：（４）に相当する。
【００４６】
その後、ステップ４：（４）で求まった電流値を出力設定手段に設定する。この際出力手段によりレーザの出力として使用中の出力設定手段とは異なった出力設定手段に設定する。図７においては、データ領域７０５を記録中の際には出力設定手段Ｂがレーザへの電流出力値として使用中に相当する。その為、出力設定手段Ａに調整領域７０４への調整発光及びその後の最適電流値の演算により求めた最適電流値を設定する事になる。この手順はステップ５：（５）に相当する。
【００４７】
次にレーザスポットがデータ領域を通過し終えると、今度はまた別の調整領域に差し掛かる。その為に出力設定手段を先程、ステップ５：（５）にて最適電流値を設定した出力設定手段へ切り換える。図７においては、データ領域７０５を通過後に調整領域７０６へとレーザスポットが差し掛かる。その際レーザの発光としては調整用の発光を行う。これは再び手順（１）に相当する。その後図６における手順（２）→（３）→（４）→（５）と繰り返す。
【００４８】
本発明では、出力設定手段を２つ以上持つ事で、調整領域後のデータ領域にてレーザの最適パワーの演算や設定を可能にし、従来では高倍速回転時に調整領域通過時間では行う事が出来なかったレーザの最適パワーの演算や設定を行う事が出来、調整領域をレーザのスポットが通過する時間が短くてもレーザの発光パワーを適切に制御する事が出来る。その事から、従来では断念していたレーザのパワー設定を行える事となり、レーザ出力パワーの制御が間に合わずに適切なパワーで行う事が出来なかった光ディスクへの記録の品質を向上させる事が出来る。
【００４９】
また、従来では別の手段としてレーザのパワーの制御が必要になった場合に、前記の様に記録動作中は、レーザパワー制御を行う事が出来ない為に、一旦記録動作を停止し、レーザの出力調整を行ってから再び記録を開始するという動作を行っていたが、本発明によれば記録中にレーザの出力調整の為に記録動作を停止させる必要は無いため、記録動作を一旦停止して調整する方法に比べて記録時間の短くする事が出来る。
【００５０】
例えば、記録するディスク上に記録部分の形状が異なる等、異なる記録パワーを要する光ディスクの場合には異なった記録パワーの境界においては、必ずレーザパワーを変更する必要がある。しかし、従来の設定手段が１つの場合には、高倍速時、この異なる記録パワーの境界毎において記録の中断が必要であった。また、異なる記録パワー領域の数に応じて、設定手段を用意する方法があるが、この場合においては温度変化や、メディアの汚れ状態等に応じてレーザパワーを変更する事が即座に出来ず、光ディスクへの記録品質を低下させる原因となっていた。
【００５１】
しかし、本発明により、異なる記録パワー領域毎やアドレス単位毎にレーザパワーを変更していく事で、記録を中断させる事もなく、記録品質を向上させる事が可能である。
【００５２】
例えば、ＤＶＤ−ＲＡＭのメディアではＬａｎｄとＧｒｏｏｖｅと呼ばれる領域が存在し、メディアへ記録を行うには、それぞれに異なる記録パワーが必要になる。また、ディスクに記録を行う際には、メディアのトラックに沿って交互に存在するＬａｎｄ領域とＧｒｏｏｖｅ領域へ異なったレーザパワーを出力しながら記録を行う必要がある。この場合本発明においては、2つの設定手段を保持し、例えばＬａｎｄ領域からＧｒｏｏｖｅ領域へ記録箇所が変わる際には、Ｇｒｏｏｖｅ領域の直前のＬａｎｄ領域にてＧｒｏｏｖｅ領域用のレーザパワー値を設定する事が出来る。これにより頻繁に存在するＬａｎｄ／Ｇｒｏｏｖｅの変わり目において記録を停止する必要がなくなり、高倍速時に、大幅な記録時間の時間短縮を行う事が出来る。
【産業上の利用可能性】
【００５３】
本発明のレーザパワー制御装置は、光ディスク等高速、高精度のレーザパワー制御を必要とする分野における記録品位、記録時間の短縮の為のレーザパワー制御装置として有用である。
【図面の簡単な説明】
【００５４】
【図１】本発明における光ディスクシステムの構成図
【図２】従来における光ディスクシステムの構成図
【図３】従来における電流の設定手段を光ディスクのフォーマットに従って示した図
【図４】従来における電流の設定手順のフローチャート
【図５】従来における欠点を示した図
【図６】本発明における電流の設定手順のフローチャート
【図７】本発明におけるレーザへの電流の設定手順を光ディスクのフォーマット、出力設定手順と共に示した図
【符号の説明】
【００５５】
１    レーザへ出力する電流設定手段の切換と電流設定先の電流設定手段の切換ステップ
２    調整用発光・計測ステップ
３    データ記録発光ステップ
４    最適電流値の演算ステップ
５    演算結果の電流値の設定ステップ
１０６    出力手段
１０７    出力設定手段a
１０８    出力設定手段b
２０２    信号検出手段
２０３    制御手段
２０４    光ディスク
２０５    レーザ
２０６    出力手段
２０７    設定手段a
３０１    ディスクフォーマット
３０２    調整領域
３０３    データ領域
３０４    調整領域
３０５    データ領域
３０６    出力設定
４０１    調整用発光・計測フロー
４０２    最適電流値の演算フロー
４０３    演算結果の電流値の設定フロー
４０４    データ記録発光フロー
５０１    低速時ディスクフォーマット
５０２    低速時調整領域
５０３    低速時データ領域
５０４    高速時ディスクフォーマット
５０５    高速時調整領域
５０６    高速時データ領域
５０７    出力設定
５０８    設定a
５０９    設定b 
５１０    パワー設定動作
５１１    調整用発光・測定
５１２    最適電流値の演算
５１３    演算結果の電流値設定
５１４    記録用発光
７０１    ディスクフォーマット
７０２    調整領域
７０３    データ領域
７０４    調整領域
７０５    データ領域
７０６    調整領域
７０７    出力設定
７０８    設定a
７０９    設定b
７１０    設定c
７１１    設定動作
７１２    出力中の設定
７１３    更新中の設定
【図１】
2007200500.tif 000003
【図２】
2007200500.tif 000004
【図３】
2007200500.tif 000005
【図４】
2007200500.tif 000006
【図５】
2007200500.tif 000007
【図６】
2007200500.tif 000008
【図７】
2007200500.tif 000009